(57)【特許請求の範囲】
【請求項１】
目地部を介して設けられた高さの異なる左右の建物の、低い方の一方の建物のパラペットの上部に取付けられた目地部側が上方へ突出する防水カバー支持片および両側に雨水浸入阻止カバーが形成されたほぼクランク状の水切りカバーと、前記目地部が広くなるように地震で前記左右の建物が揺れ動いた場合に、前記水切りカバー上を先端部の下方へ突出する側板が移動できるように、該左右の建物の高い方の他方の建物の外壁に取付けられた目地カバーと、この目地カバーの両端部寄りの前記左右の建物の外壁に両端部が取付けられ、かつ上部が前記水切りカバーの防水カバー支持片近傍に位置する伸縮可能な左右の外側壁用目地カバー装置とからなる屋上用目地カバー装置において、前記目地カバーの両端部の上部に、該目地カバーの両端部の前記他方の建物の外壁に取付けられた支持具に支持された先端部が外方へ回動できる端部カバーと、この端部カバーの外側端部に固定された、前記水切りカバーの雨水浸入阻止カバーの中央部まで当接する固定雨水浸入阻止カバーと、前記端部カバーの外側端部の下部位置の前記左右の建物間および、前記左右の外側壁用目地カバー装置の上部部分を覆う少なくとも１個以上の中央部が外方へ突出することができる、前記左右の建物の外壁に取付けられた外側可動カバーと、この外側可動カバーを常時中央部が外方へ突出できるような状態を保つ外側可動カバー保持機構と、前記端部カバーに取付けられた、前記固定雨水浸入阻止カバーが前記水切りカバーの雨水浸入阻止カバーと常時当接するように付勢する付勢機構とからなることを特徴とする屋上用目地カバー装置。
【請求項２】
端部カバーには外側可動カバーの中央部が外方へ突出した場合に該部の上部を覆う、つば状の固定カバーが設けられていることを特徴とする請求項１記載の屋上用目地カバー装置。
【請求項３】
固定雨水浸入阻止カバーは端部カバーの他方の建物の外壁寄りの位置までの外側端部全体に固定されていることを特徴とする請求項１記載の屋上用目地カバー装置。
【発明の詳細な説明】
【技術分野】
【０００１】
本発明は目地部を介して設けられた高さの異なる左右の建物の屋上の目地部を防水可能に覆う屋上用目地カバー装置に関する。
【背景技術】
【０００２】
従来の屋上用目地カバー装置は、低い一方の建物のパラペットに取付けられた目地部側が上方へ突出する防水カバー支持片が形成されたクランク状の水切りカバーと、この水切りカバーの上部を覆う高い他方の建物の外壁に取付けられた先端部が下方へ突出する側板を有する目地カバーと、この目地カバーの側板と前記水切りカバーとの間より内部に水が浸入するのを阻止する防水カバー装置とで構成されている。
【０００３】
しかしながら、目地カバーの両端部からの雨水や風の侵入は左右の建物の外壁に両端部が取付けられた伸縮可能な左右の外壁用目地カバー装置を設けても阻止することができないという欠点があった。
【先行技術文献】
【特許文献】
【０００４】
【特許文献１】特許第４９６９５４９号公報
【特許文献２】特許第３８１３８７８号公報
【発明の概要】
【発明が解決しようとする課題】
【０００５】
本発明は以上のような従来の欠点に鑑み、左右の建物間の目地部を覆う目地カバーと伸縮可能な左右の外壁用カバー装置で覆われた部位に、雨水や風が侵入するのを効率よく阻止することができるとともに、左右の建物が地震で異なる前後左右方向に揺れ動いても、その揺れ動きを吸収し、内部に雨水や風の侵入を阻止することができる屋上用目地カバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた高さの異なる左右の建物の、低い方の一方の建物のパラペットの上部に取付けられた目地部側が上方へ突出する防水カバー支持片および両側に雨水浸入阻止カバーが形成されたほぼクランク状の水切りカバーと、前記目地部が広くなるように地震で前記左右の建物が揺れ動いた場合に、前記水切りカバー上を先端部の下方へ突出する側板が移動できるように、該左右の建物の高い方の他方の建物の外壁に取付けられた目地カバーと、この目地カバーの両端部寄りの前記左右の建物の外壁に両端部が取付けられ、かつ上部が前記水切りカバーの防水カバー支持片近傍に位置する伸縮可能な左右の外側壁用目地カバー装置とからなる屋上用目地カバー装置において、前記目地カバーの両端部の上部に、該目地カバーの両端部の前記他方の建物の外壁に取付けられた支持具に支持された先端部が外方へ回動できる端部カバーと、この端部カバーの外側端部に固定された、前記水切りカバーの雨水浸入阻止カバーの中央部まで当接する固定雨水浸入阻止カバーと、前記端部カバーの外側端部の下部位置の前記左右の建物間および、前記左右の外側壁用目地カバー装置の上部部分を覆う少なくとも１個以上の中央部が外方へ突出することができる、前記左右の建物の外壁に取付けられた外側可動カバーと、この外側可動カバーを常時中央部が外方へ突出できるような状態を保つ外側可動カバー保持機構と、前記端部カバーに取付けられた、前記固定雨水浸入阻止カバーが前記水切りカバーの雨水浸入阻止カバーと常時当接するように付勢する付勢機構とで屋上用目地カバー装置を構成している。
【発明の効果】
【０００８】
以上の説明から明らかなように、本発明にあっては次に列挙する効果が得られる。
（１）請求項１により、目地カバーと伸縮可能な左右の外壁用目地カバー装置とで覆われた空間に、雨水や風が侵入するのを端部カバー、外側可動カバー、外側固定カバーで阻止することができる。    
（２）前記（１）により、端部カバーは支持具によって回動できるように支持され、付勢機構によって目地カバーの端部に常時当接するように付勢されているので、地震で左右の建物が異なる前後方向に揺れ動いても、外側固定カバーを損傷することなく、その揺れ動きを吸収することができる。
（３）前記（１）により、地震で目地部が狭くなるように揺れ動いても、伸縮可能な左右の外壁用目地カバー装置と、外側可動カバーの収縮で、その揺れ動きを左右の外壁用目地カバー装置や外側可動カバーを損傷することなく吸収することができる。
（４）請求項２も前記（１）〜（３）と同様な効果が得られるとともに、つば状の固定カバーによって、目地部が狭くなって外側可動カバーの中央部が外方へ突出したとしても、隙間が生じるのを確実に阻止することができる。
（５）請求項３も前記（１）〜（３）と同様な効果が得られる。
【図面の簡単な説明】
【０００９】
【図１】本発明を実施するための第１の形態の平面図。
【図２】図１の２−２線に沿う断面図。
【図３】図１の３−３線に沿う断面図。
【図４】図１の４−４線に沿う断面図。
【図５】本発明を実施するための第１の形態の水切りカバーの取付け状態の説明図。
【図６】本発明を実施するための第１の形態の目地カバーの取付け状態の説明図。
【図７】本発明を実施するための第１の形態の端部カバーの説明図。
【図８】本発明を実施するための第１の形態の端部カバーに固定雨水浸入阻止カバーを取付けた状態の説明図。
【図９】本発明を実施するための第１の形態の外側可動カバーの説明図。
【図１０】本発明を実施するための第１の形態の外側可動カバー保持機構の説明図。
【図１１】本発明を実施するための第１の形態の目地部が広くなった状態の動作説明図。
【図１２】本発明を実施するための第１の形態の目地部が狭くなった状態の動作説明図。
【図１３】本発明を実施するための第１の形態の異なる前後方向に揺れ動いた状態の動作説明図。
【図１４】図１３の１４−１４線に沿う断面図。
【図１５】本発明を実施するための第２の形態の平面図。
【図１６】本発明を実施するための第２の形態の正面図。
【図１７】本発明を実施するための第２の形態の端部カバーの説明図。
【図１８】本発明を実施するための第２の形態の外側可動カバーの説明図。
【図１９】本発明を実施するための第３の形態の平面図。
【図２０】本発明を実施するための第３の形態の正面図。
【図２１】本発明を実施するための第３の形態の外側可動カバーの平面図。
【図２２】本発明を実施するための第３の形態の外側可動カバーの正面図。
【発明を実施するための形態】
【００１０】
以下、図面に示す本発明を実施するための形態により、本発明を詳細に説明する。
【００１１】
図１ないし図１４に示す本発明を実施するための第１の形態において、１は目地部２を介して設けられた高さの異なる左右の建物３、４の屋上部分に取付けられる本発明の屋上用目地カバー装置で、この屋上用目地カバー装置１は低い方の一方の建物３の目地部２側のパラペット５の上部に複数本のアンカーボルト６等で、所定間隔で固定された複数個の取付け金具７に複数本のビス８で固定された目地部側が上方へ突出する防水カバー支持片９および、両側に雨水浸入阻止カバー１０が形成されたほぼクランク状の水切りカバー１１と、前記目地部２が広くなるように前記左右の建物３、４が揺れ動いた場合に、前記水切りカバー１１上を先端部の下方へ突出する側板１２が移動できるように高い方の他方の建物４の外壁面４ａに複数本のタッピングビス１３等によって所定間隔で固定された複数個の目地カバー支持金具１４に支持されるとともに、外壁４ａに形成した凹部１５内に上端部を挿入して複数本のビス１６で固定された目地カバー１７と、この目地カバー１７の側板１２の上部寄りの内壁面に一端部が取付けバー部材１８で押えて複数本のビス１９で固定され、他端部が前記水切りカバー１１の防水カバー支持片９に取付けバー部材２０で押えて複数本のビス２１で固定された、前記目地部２の幅寸法に前記側板１２と防水カバー支持片９との間の寸法をプラスした寸法の防水カバー２２と、この防水カバー２２を伸縮できるように支持する、特許第４９６９５４９号の特許発明（請求項１）と同じように構成された防水カバー支持装置２３と、前記目地カバー１７の両端部寄りの前記左右の建物３、４の外壁３ａ、４ａに両端部が取付けられ、かつ上部が前記水切りカバー１１の防水カバー支持片９近傍に位置する、従来から使用されている伸縮可能な左右の外側壁用目地カバー装置２４、２４と、前記目地カバー１７の両端部の上部に、該目地カバー１７の両端部の前記他方の建物４、４の外壁４ａに取付けられた支持具２５、２５に支持された先端部が外方へ回動できる端部カバー２６、２６と、この端部カバー２６、２６の外側端部全体に固定された、前記水切りカバー１１の雨水浸入阻止カバー１０、１０の中央部までと当接する固定雨水浸入阻止カバー２７、２７と、前記端部カバー２６、２６の外側端部の下部位置の前記左右の建物３、４間および、前記左右の外側壁用目地カバー装置２４、２４の上部部位を覆う中央部が外方へ突出することができる前記左右の建物３、４の外壁３ａ、４ａに取付けられた外側可動カバー２８、２８と、この外側可動カバー２８、２８を常時中央部が外方へ突出できるような状態を保つ外側可動カバー保持機構２９、２９と、前記端部カバー２６、２６に取付けられた、前記固定雨水浸入阻止カバー２７、２７が前記水切りカバー１１の雨水浸入阻止カバー１０、１０と常時当接するように付勢する付勢機構３０、３０とで構成されている。
【００１２】
前記端部カバー２６、２６は図７に示すように、前記目地カバー１７の両端部の上部に先端部が回動できる長方形状の枠形状に角パイプ材で形成された端部カバーフレーム３１と、この端部カバーフレーム３１の上面を覆う端部カバー板３２と、前記端部カバーフレーム３１の後端部のフレーム３１ａより、前記目地カバー１７の端部より外方に突出させた枢支孔３３が形成された枢支部３４と、この枢支部３４の枢支孔３３に回動可能に挿入された軸３５を上部に設けた、前記他方の建物４の目地カバー１７の端部位置の壁面４ａに複数本のビス３６で固定された支持具２５とで構成されている。
【００１３】
前記固定雨水浸入阻止カバー２７、２７は、図８に示すように前記端部カバー２６の外側端部全体に、前記水切りカバー１１の雨水浸入阻止カバー１０の中央部まで覆って当接するように固定され、下端部には外方へ突出する前記外側可動カバー２８の上部を覆う、つば状の外側可動カバーカバー部材３７が形成されている。
【００１４】
なお、この固定雨水浸入阻止カバー２７、２７は前記端部カバーフレーム３１をアングル状に形成して、外面のフレーム３１ａ部分に取付けてもよい。
【００１５】
この場合、側面のフレーム３１ａの下部内側面が前記雨水浸入阻止カバー１０と当接して、雨水の浸入を阻止できるようにしておかなければならない。
【００１６】
前記外側可動カバー２８、２８は図９に示すように、前記端部カバー２６の外側端部の下部位置の前記左右の建物３、４間および、前記固定雨水浸入阻止カバー２７の下端部から前記左右の外側壁用目地カバー装置２４、２４の上部部位を覆うように取付けられるもので、前記左右の建物３、４の外壁３ａ、４ａに取付けられたヒンジ部材３８、３８と、このヒンジ部材３８、３８に両端部が取付けられ、中央部が外方へ突出できる、わずかに両端部より突出するように中央ヒンジ部材３９で取付けられた１個の左右の可動カバー板４０、４０とで構成されている。
【００１７】
前記外側可動カバー保持機構２９、２９は前記左右の可動カバー板４０、４０の中央部を常時一直線になるように付勢する一端部が左右の可動カバー板４０、４０の中央部寄りの位置に取付けられ、他端部が他方の建物４の外壁面４ａに取付けられたアイボルト４１を通過させるワイヤー４２と、このワイヤー４２のアイボルト４１を通過させた部分に取付けられ、所定の引張力で、該ワイヤー４１すなわち前記左右の可動カバー板４０、４０を付勢できるように、前記他方の建物４の外壁４ａに固定された付勢スプリング４３とで構成されている。
【００１８】
前記付勢機構３０、３０は前記端部カバー２６の後部側の内側の端部カバーフレーム３１、３１に一端部が取付けられ、他端部を前記凹部１５に固定されたピン４４に取付けられ、前記端部カバー２６、２６を常時固定雨水浸入阻止カバー２７、２７が前記水切りカバー１１の雨水浸入阻止カバー１０、１０に常時当接するように付勢する付勢スプリング４５を用いて構成されている。
【００１９】
上記構成の屋上用目地カバー装置１は左右の建物３、４の屋上部分の目地部２は目地カバー１７、左右の外側壁用目地カバー装置２４、２４、水切りカバー１１の雨水浸入阻止カバー１０、端部カバー２６の固定雨水浸入阻止カバー２７および外側可動カバー２８で覆われ、内部に雨水や風が侵入するのが阻止される。
【００２０】
なお、目地カバー１７の側板１２と水切りカバー１１との間の隙間より侵入する風や雨水は  防止カバー２２によって、内部への侵入を阻止することができる。
【００２１】
地震で左右の建物３、４が異なる左右方向に揺れ動き、目地部２が広くなるように揺れ動くと、図１１に示すように目地カバー１７の側板１２が水切りカバー１１上を防水カバー支持片９側へ移動するとともに、端部カバー２６の固定雨水浸入阻止カバー２７が水切りカバー１１の雨水浸入阻止カバー１０と当接した状態でスライド移動する。
【００２２】
また、左右の外壁用目地カバー装置２４、２４は伸長し、外側可動カバー２８は外側可動カバー保持機構２９の保持力に抗して直線状になるように回動して、目地部２内へ雨水や風が侵入するのを阻止するように移動して、その揺れ動きを吸収する。
【００２３】
地震で左右の建物３、４が異なる左右方向に揺れ動き、目地部２が狭くなるように揺れ動くと、図１２に示すように目地カバー１７の側板１２が水切りカバー１１上を防水カバー支持片９より離れるように移動するとともに、端部カバー２６の固定雨水浸入阻止カバー２７が水切りカバー１１の雨水浸入阻止カバー１０と当接した状態でスライド移動する。
【００２４】
また、左右の外側壁用目地カバー装置２４、２４は収縮し、外側可動カバー２８は外側可動カバー保持機構２９の保持力によって中央部が外方へ突出して目地部２内へ雨水や風が侵入するのを阻止するように移動して、その揺れ動きを吸収する。
【００２５】
地震で左右の建物３、４が異なる前後方向に揺れ動くと、図１３および図１４に示すように端部カバー２６の固定雨水浸入阻止カバー２７が水切りカバー１１の雨水浸入阻止カバー１０によって外方へ押し付けられ、支持具２５を中心に端部カバー２６の先端部が付勢機構３０の付勢力に抗して外方へ回動し、その揺れ動きを吸収する。
なお、左右の外側壁用目地カバー装置２４、２４および外側可動カバー２８、２８の両端部は前後方向に移動するだけで、該部からの 雨水や風の侵入を阻止できる状態を保っている。
【００２６】
[発明を実施するための異なる形態]
次に、図１５ないし図２２に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２７】
図１５ないし図１８に示す本発明を実施するための第２の形態において、前記本発明を実施するための第１の形態と主に異なる点は、水切りカバー１１の端部だけを覆う固定雨水浸入阻止カバー２７Ａを設けるとともに、端部カバー板３２と一体に形成された外側可動カバーカバー部材３７Ａを設けた端部カバー２６Ａと、この端部カバー２６Ａの外側可動カバーカバー部材３７Ａの下面に上面が当接する外側可動カバー２８Ａを用いた点で、このように構成した屋上用目地カバー装置１Ａにしても、前記本発明を実施するための第１の形態と同様な作用効果が得られる。
【００２８】
図１９ないし図２２に示す本発明を実施するための第３の形態において、前記本発明を実施するための第１の形態と主に異なる点は、上・下部に四角枠形が２個のパンタグラフ形状の支持金具４６、４６を用いて、２個の中央部が外方へ突出する左右の可動カバー板４０Ａ、４０Ａ、４０Ａ、４０Ａを用いた外側可動カバー２８Ｂを用いた点で、このように構成した屋上用目地カバー装置１Ｂにしても、前記本発明を実施するための第１の形態と同様な作用効果が得られる。
【００２９】
なお、本発明の各実施の形態では水切りカバー１１の雨水浸入阻止カバー１０と、端部カバー２６、２６Ａの固定雨水浸入阻止カバー２７、２７Ａ間や、外側可動カバーカバー部材３７、３７Ａと外側可動カバー２８、２８Ａの上面との間から雨水や風が侵入するのを阻止できるようにスポンジ等の弾性部材を設置してもよい。
【産業上の利用可能性】
【００３０】
本発明は左右の建物の屋上部分の目地部を覆う屋上用目地カバー装置を製造する産業で利用される。
【符号の説明】
【００３１】
１、１Ａ、１Ｂ：屋上用目地カバー装置、
２：目地部、        ３：一方の建物、
４：他方の建物、        ５：パラペット、  
６：アンカーボルト、    ７：取付け金具、
８：ビス、        ９：防水カバー支持片、
１０：雨水浸入阻止カバー、  １１：水切りカバー、
１２：側板、        １３：タッピングビス、
１４：目地カバー支持金具、  １５：凹部、
１６：ビス、        １７：目地カバー、
１８：取付けバー部材、    １９：ビス、
２０：取付けバー部材、    ２１：ビス、
２２：防水カバー、      ２３：防水カバー支持装置、
２４：左右の外側壁用目地カバー装置、
２５：支持具、
２６、２６Ａ：端部カバー、
２７、２７Ａ：固定雨水浸入阻止カバー、
２８、２８Ａ：外側可動カバー、
２９：外側可動カバー保持機構、
３０：付勢機構、      ３１：端部カバーフレーム、
３２：端部カバー板、    ３３：枢支孔、
３４：枢支部、      ３５：軸、
３６：ビス、        
３７、３７Ａ：外側可動カバーカバー部材、
３８：ヒンジ部材、      ３９：中央ヒンジ部材、
４０、４０Ａ：左右の可動カバー板、
４１：アイボルト、      ４２：ワイヤー、
４３：付勢スプリング、    ４４：ピン、
４５：付勢スプリング、    ４６：支持金具。
【図１】
0006042843.tif 000002
【図２】
0006042843.tif 000003
【図３】
0006042843.tif 000004
【図４】
0006042843.tif 000005
【図５】
0006042843.tif 000006
【図６】
0006042843.tif 000007
【図７】
0006042843.tif 000008
【図８】
0006042843.tif 000009
【図９】
0006042843.tif 000010
【図１０】
0006042843.tif 000011
【図１１】
0006042843.tif 000012
【図１２】
0006042843.tif 000013
【図１３】
0006042843.tif 000014
【図１４】
0006042843.tif 000015
【図１５】
0006042843.tif 000016
【図１６】
0006042843.tif 000017
【図１７】
0006042843.tif 000018
【図１８】
0006042843.tif 000019
【図１９】
0006042843.tif 000020
【図２０】
0006042843.tif 000021
【図２１】
0006042843.tif 000022
【図２２】
0006042843.tif 000023